(57)【特許請求の範囲】
【請求項１】
ブランクから容器を形成する工具であって、前記容器はフランジを有し、該工具は、
第１の工具アセンブリと、
第２の工具アセンブリと、
を備え、
前記第１の工具アセンブリ及び前記第２の工具アセンブリのうちの少なくとも一方が、開放位置と閉鎖位置との間で可動であり、前記開放位置において、前記ブランクは前記第１の工具アセンブリと前記第２の工具アセンブリとの間に受け取られ、前記閉鎖位置において、前記ブランクは前記容器に形成され、
前記第１の工具アセンブリ及び前記第２の工具アセンブリのうちの少なくとも一方が、前記容器の前記フランジを形成するフランジ形成機能部を備え、該フランジ形成機能部により、前記フランジの第１の部分が前記フランジの第２の部分に対して折り曲げられ、
前記フランジ形成機能部はカラーを備え、該カラーは少なくとも部分的に該工具の中心軸の周りに延在し、前記カラーは、前記容器の前記フランジを少なくとも部分的に形成する成形縁を有する、工具。
【請求項２】
前記カラーの前記成形縁は隆起部を有し、該隆起部は少なくとも部分的に該工具の前記中心軸の周りに延在し、前記隆起部は、前記容器の前記フランジの前記第１の部分及び前記第２の部分のうちの少なくとも一方において陥凹部を形成するものである、請求項１に記載の工具。
【請求項３】
前記カラーの前記成形縁は曲面を有し、該曲面は、前記フランジの前記第１の部分を前記フランジの前記第２の部分に向かって少なくとも部分的に折り曲げるものである、請求項１に記載の工具。
【請求項４】
前記カラーは第１のカラーを含み、前記成形縁は第１の成形縁であり、
前記フランジ形成機能部は第２のカラーを更に含み、該第２のカラーは第２の成形縁を有し、前記第２のカラーは、少なくとも部分的に前記第１のカラーの周りに延在し、
前記第１のカラー及び前記第２のカラーは互いに対して可動である、請求項３に記載の工具。
【請求項５】
前記曲面は第１の曲面を含み、前記第２の成形縁は第２の曲面を含み、前記第１のカラーは、前記第１の曲面が前記第２の曲面と概ね位置合わせされるように位置決めされるものであり、該概ね位置合わせされた第１の曲面及び第２の曲面は、協働して、前記フランジの前記第１の部分を前記フランジの前記第２の部分に向かって少なくとも部分的に折り曲げるものである、請求項４に記載の工具。
【請求項６】
前記フランジ形成機能部は第３のカラーを更に備え、該第３のカラーは、少なくとも部分的に該工具の前記中心軸の周りに延在するとともに、前記第１のカラー及び前記第２のカラーに対向して配置され、前記第３のカラーは第３の成形縁を有し、前記概ね位置合わせされた第１の曲面及び第２の曲面は、前記フランジの前記第１の部分及び前記第２の部分を、前記第３のカラーの前記第３の成形縁に対して締め付けるものである、請求項５に記載の工具。
【請求項７】
前記第１のカラーは、前記第１の成形縁が前記第２の成形縁から離間するように位置決めされるものであり、前記第２の成形縁は前記第１のカラーの外面に隣接して配置され、前記フランジ形成機能部はスカート形成部を備え、該スカート形成部は、前記第１のカラーの前記外面に沿って、離間した前記第１の成形縁と前記第２の成形縁との間に画定され、前記スカート形成部は、前記フランジの前記第１の部分を前記フランジの前記第２の部分に向かって折り曲げる前に、前記フランジの前記第１の部分を形成するものである、請求項４に記載の工具。
【請求項８】
前記第１の工具アセンブリは第１の絞りリングを備え、前記第２の工具アセンブリは第２の絞りリングを備え、前記第１の絞りリング及び前記第２の絞りリングは、少なくとも部分的に該工具の前記中心軸の周りで前記第１のカラー及び前記第２のカラーの外方に延び、前記第１の絞りリング及び前記第２の絞りリングは、前記ブランクの外側部分をその間に締め付けるものである、請求項７に記載の工具。
【請求項９】
前記第１の絞りリング及び前記第２の絞りリングは、前記第１のカラー及び前記第２のカラーに対して可動であり、前記フランジの一部分を前記スカート形成部内に折り曲げる、請求項８に記載の工具。
【請求項１０】
前記第１の工具アセンブリはキャビティブロックを備え、前記第２の工具アセンブリは雄成形部を備え、該雄成形部は、前記キャビティブロックと協働して、前記容器の側壁を少なくとも部分的に形成するものである、請求項１に記載の工具。
【請求項１１】
前記キャビティブロックは凹所を画定し、前記雄成形部は連接されたノーズ部及び基部を有し、前記連接されたノーズ部は前記基部に対して可動であり、前記連接されたノーズ部及び前記基部はそれぞれ第１の面及び第２の面を有し、該第１の面及び該第２の面は、協働して、前記ブランクの少なくとも一部分を前記凹所内に及び前記キャビティブロックに対して押し付ける、請求項１０に記載の工具。
【請求項１２】
前記第２の工具アセンブリは前記カラーを備え、該カラーは、少なくとも部分的に前記基部の周りに延在するとともに該基部に対して可動であり、前記カラーの前記成形縁は、前記容器の前記フランジの前記第１の部分及び前記第２の部分のうちの少なくとも一方における陥凹部を形成する隆起部を有する、請求項１１に記載の工具。
【請求項１３】
前記カラーは第１のカラーを含み、前記第２の工具アセンブリは前記第１のカラー及び第２のカラーを備え、それぞれが少なくとも部分的に前記キャビティブロックの周りに延在し、
前記第１のカラー、前記第２のカラー及び前記キャビティブロックは互いに対して可動であり、
前記第１のカラー及び前記第２のカラーは、協働して、少なくとも部分的に前記フランジの前記第１の部分を形成するとともに、前記フランジの前記第１の部分を前記第２の部分に向かって折り曲げる、請求項１１に記載の工具。
【請求項１４】
ブランクから容器を形成する方法であって、
工具及び前記ブランクを得ることであって、前記工具は第１の工具アセンブリ及び第２の工具アセンブリを備え、該第１の工具アセンブリ及び該第２の工具アセンブリのうちの少なくとも一方は前記容器のフランジを形成するフランジ形成機能部を備えることと、
前記ブランクを前記第１の工具アセンブリと前記第２の工具アセンブリとの間で押し付けることであって、前記ブランクを内部空間を有する前記容器に形成することと、
前記フランジ形成機能部を機能させることであって、前記フランジの第１の部分を前記フランジの第２の部分に対して少なくとも部分的に折り曲げることにより、前記容器の前記フランジを形成することと、
前記フランジ形成機能部はカラーを備え、該カラーは、少なくとも部分的に前記工具の中心軸の周りに延在し、前記カラーは成形縁を有し、前記フランジ形成機能部を前記機能させることは、前記カラーの前記成形縁を前記容器の前記フランジに対して押し付けること、を含む、方法。
【請求項１５】
前記カラーの前記成形縁は隆起部を有し、該隆起部は、少なくとも部分的に前記工具の前記中心軸の周りに延在し、前記カラーの前記成形縁を前記フランジに対して前記押し付けることは、前記隆起部を前記フランジに対して押し付け、前記容器の前記フランジの前記第１の部分及び前記第２の部分のうちの少なくとも一方において陥凹部を形成することを含む、請求項１４に記載の方法。
【請求項１６】
前記カラーの前記成形縁を前記フランジに対して前記押し付けることは、前記フランジの前記第１の部分を前記成形縁と係合させることと、前記カラーを前記フランジの前記第２の部分に向かって移動させることによって、前記フランジの前記第１の部分を前記フランジの前記第２の部分に向かって折り曲げることとを含む、請求項１４に記載の方法。
【請求項１７】
前記カラーは第１のカラーであり、前記成形縁は第１の成形縁であり、
前記フランジ形成機能部は第２のカラーを更に備え、該第２のカラーは第２の成形縁を有し、前記第２のカラーは、少なくとも部分的に前記第１のカラーの周りに延在し、
該方法は、前記第１のカラーを、前記第１の成形縁を前記第２の成形縁と位置合わせするように位置決めすることを更に含み、前記カラーを前記移動させることは、前記第１のカラー及び前記第２のカラーを前記フランジの前記第２の部分に向かって移動させることを含み、それにより、前記概ね位置合わせされた第１の成形縁及び第２の成形縁が、前記フランジの前記第１の部分を前記フランジの前記第２の部分に向かって少なくとも部分的に折り曲げる、請求項１６に記載の方法。
【請求項１８】
前記フランジ形成機能部は第３のカラーを更に含み、該第３のカラーは、少なくとも部分的に前記工具の前記中心軸の周りに延在するとともに、前記第１のカラー及び前記第２のカラーに対向して配置され、前記第３のカラーは第３の成形縁を有し、前記カラーの前記成形縁を前記フランジに対して前記押し付けることは、前記第３のカラーを前記フランジの前記第２の部分に向かって移動させ、前記フランジの前記第１の部分及び前記第２の部分の少なくとも一部分を、前記第３の成形縁と、前記概ね位置合わせされた第１の曲面及び第２の曲面との間に締め付ける、請求項１７に記載の方法。
【請求項１９】
前記フランジ形成機能部を前記機能させることは、前記第１のカラーを、前記第１の成形縁及び前記第２の成形縁を位置合わせするように前記位置決めすることの前に、前記フランジの前記第１の部分を形成することを更に含み、前記フランジの前記第１の部分を前記形成することは、
前記第１のカラーを前記第１の成形縁と、前記フランジに隣接して位置決めすることであって、前記第２の成形縁は前記フランジ及び前記第１の成形縁から離間しており、かつ前記第２の成形縁は前記第１のカラーの外面に隣接していることと、
前記フランジの前記第１の部分を前記フランジの前記第２の部分に対して旋回させるとともに、前記フランジの前記第１の部分の少なくとも一部分を前記第１のカラーの前記外面に対して位置決めすることであって、それにより、前記フランジの自由縁が前記第２のカラーの前記第２の成形縁に隣接して延在することと、
を含む、請求項１７に記載の方法。
【請求項２０】
前記第１の工具アセンブリは第１の絞りリングを備え、前記第２の工具アセンブリは第２の絞りリングを備え、前記第１の絞りリング及び前記第２の絞りリングは、少なくとも部分的に前記工具の前記中心軸の周りで前記第１のカラー及び前記第２のカラーの外方に延び、
前記ブランクを前記第１の工具アセンブリと前記第２の工具アセンブリとの間で前記押し付けることは、前記第１の工具アセンブリと前記第２の工具アセンブリとの間に前記ブランクを位置決めすることと、前記ブランクの外側部分を前記第１の絞りリングと前記第２の絞りリングとの間に締め付けることとを含み、
前記フランジの前記第１の部分を前記旋回させることは、前記第１の絞りリング及び前記第２の絞りリングを前記第１のカラー及び前記第２のカラーに対して移動させ、前記フランジの前記第１の部分を旋回させることを含み、一方、前記第１のカラーは前記フランジの前記第２の部分を少なくとも部分的に押さえ付ける、請求項１９に記載の方法。
【請求項２１】
前記第１の工具アセンブリはキャビティブロックを備え、前記第２の工具アセンブリは雄成形部を備え、前記ブランクを前記第１の工具アセンブリと前記第２の工具アセンブリとの間で前記押し付けることは、前記ブランクの内側部分を前記キャビティブロックと前記雄成形部との間に締め付け、前記容器の側壁を少なくとも部分的に形成することを含む、請求項１４に記載の方法。
【請求項２２】
前記キャビティブロックは凹所を画定し、前記雄成形部は連接されたノーズ部及び基部を有し、
前記ブランクの前記内側部分を前記締め付けることは、少なくとも前記連接されたノーズ部を前記キャビティブロックに向かって移動させ、前記ブランクの前記内側部分の少なくとも一部分を前記凹所内に押し込むことを含む、請求項２１に記載の方法。
【請求項２３】
前記ブランクの前記内側部分を前記締め付けることは、前記基部を前記キャビティブロック及び前記連接されたノーズ部に向かって移動させ、前記ブランクの前記内側部分の少なくとも一部分を前記凹所内に押し込み、それにより、前記容器の側壁及び底壁が、前記凹所の外面と、前記連接されたノーズ部及び前記基部の外面との間に形成されることを更に含む、請求項２２に記載の方法。
【発明の詳細な説明】
【技術分野】
【０００１】
本開示は、食品又は他の製品を保持、収容、又は調理（prepare）するのに用いることができる物品、部材、又は容器の形に材料を成形する工具及び方法に関する。
【０００２】
［関連出願の相互参照］
本願は、２０１１年９月９日に出願された米国仮特許出願第６１／５７３，６４７号の利益を主張する。
【０００３】
［参照による援用］
２０１１年９月９日に出願された米国仮特許出願第６１／５７３，６４７号と、２００９年４月１７日に出願された米国特許出願第１２／４２５，４１７号と、２００７年１０月１８日に出願された国際出願第２００７／０８１７４３号と、２００６年１０月１８日に出願された米国仮特許出願第６０／８２９，９７６号との開示は、その全体が本明細書において提示されているかのように引用することにより本明細書の一部をなす。
【発明の概要】
【０００４】
一態様において、本開示は包括的には、フランジを有する容器を形成する工具を対象とする。この工具は、少なくともフランジの一部分を形成又は巻き形成（roll）する機能部を有する。
【０００５】
別の態様において、本開示は包括的には、ブランクから容器を形成する工具を対象とする。前記容器はフランジを有することができる。該工具は、
第１の工具アセンブリと、
第２の工具アセンブリと、
を備える。
前記第１の工具アセンブリ及び前記第２の工具アセンブリのうちの少なくとも一方が、開放位置と閉鎖位置との間で可動とすることができ、前記開放位置において、前記ブランクは前記第１の工具アセンブリと前記第２の工具アセンブリとの間に受け入れられ、前記閉鎖位置において、前記ブランクは前記容器に形成される。
前記第１の工具アセンブリ及び前記第２の工具アセンブリのうちの少なくとも一方が、前記容器の前記フランジを形成するフランジ形成機能部を備えることができ、該フランジ形成機能部により、前記フランジの第１の部分が前記フランジの第２の部分に対して折り曲げられる。
【０００６】
別の態様において、本開示は包括的には、ブランクから容器を形成する方法を対象とする。本方法は、工具及び前記ブランクを得ることを含む。前記工具は第１の工具アセンブリ及び第２の工具アセンブリを備えることができ、該第１の工具アセンブリ及び該第２の工具アセンブリのうちの少なくとも一方は前記容器のフランジを形成するフランジ形成機能部を備えることができる。
本方法は、前記ブランクを、内部空間を有する前記容器に形成するために前記ブランクを前記第１の工具アセンブリと前記第２の工具アセンブリとの間で押し付けることと、
前記フランジの第１の部分を前記フランジの第２の部分に対して少なくとも部分的に折り曲げて、前記容器の前記フランジを形成するために前記フランジ形成機能部を機能させることと、
を更に含むことができる。
【０００７】
別の態様において、本開示は包括的には、本明細書において図示及び／又は記載される任意の種々の方法により形成される容器を対象とする。
【０００８】
当業者は、以下に挙げる図面を参照しながら種々の更なる実施形態の以下の詳細な説明を読めば、それらの実施形態の上述の利点及び他の利点並びに利益を理解するであろう。
【０００９】
一般的慣行に従い、以下に説明する図面の種々の特徴部は必ずしも原寸に比例して描かれていない。本開示の実施形態をより明確に例示するため、図面中の種々の特徴部及び部材の寸法は拡大又は縮小可能とすることができる。
【図面の簡単な説明】
【００１０】
【図１Ａ】本開示の例示的な実施形態による成形工具によって形成された容器の等角図である。
【図１Ｂ】図１Ａの容器の断面図である。
【図１Ｃ】図１Ｂの容器の断面図のフランジの詳細図である。
【図２】本開示の例示的な実施形態による、図１Ａの容器を形成する板紙ブランクが位置合わせされている成形工具の概略断面図である。
【図３】容器の側壁及び底壁を形成するように、上側工具アセンブリに向かって動いている下側工具アセンブリを示す、本開示の例示的な実施形態による図２の成形工具の概略断面図である。
【図４】容器の側壁及び底壁を形成するように、上側工具アセンブリに向かって動いている下側工具アセンブリを示す、本開示の例示的な実施形態による図２の成形工具の概略断面図である。
【図５】容器の側壁及び底壁を形成するように、上側工具アセンブリに向かって動いている下側工具アセンブリを示す、本開示の例示的な実施形態による図２の成形工具の概略断面図である。
【図６】陥凹部（indentation）を有する容器の巻き形成されたフランジを形成する様子を示す、図２の成形工具の概略断面図である。
【図７】陥凹部を有する容器の巻き形成されたフランジを形成する様子を示す、図２の成形工具の概略断面図である。
【図８】陥凹部を有する容器の巻き形成されたフランジを形成する様子を示す、図２の成形工具の概略断面図である。
【図８Ａ】陥凹部を有する容器の巻き形成されたフランジを形成する様子を示す、図２の成形工具の概略断面図である。
【図９】陥凹部を有する容器の巻き形成されたフランジを形成する様子を示す、図２の成形工具の概略断面図である。
【図９Ａ】陥凹部を有する容器の巻き形成されたフランジを形成する様子を示す、図２の成形工具の概略断面図である。
【発明を実施するための形態】
【００１１】
図面全体を通じて、対応する部品には対応する参照符号が付されている。
【００１２】
本開示は包括的には、材料、パッケージ、部材、物品、容器、並びにそのような材料、パッケージ、部材、物品及び容器を作製する方法の種々の態様に関する。本開示の幾つかの異なる態様、実施態様及び実施形態が提供されるが、本開示の種々の発明的特徴（inventions）、態様、実施態様及び実施形態の多くの相互関係、それらの組み合わせ、並びに変更形態が本明細書によって意図される。１つの図示の実施形態では、本開示は、１つ又は複数の食料品を保持、加熱及び／又は調理する容器を成形することに関する。この容器は、例えば電子レンジ内で１つ又は複数の食品を調理するのに適している。しかし、他の実施形態では、本開示は、マイクロ波調理には用いられない物品又は容器を成形するのに用いることもできる。
【００１３】
図１Ａ及び図１Ｂは、食品（図示せず）を入れる容器３を示している。この構造体すなわち容器３は、概ね平坦なブランク５（図２）から形成される。ブランク５は、成形工具７においてプレス加工される。１つの実施形態において、ブランクは、１つ又は複数のマイクロ波相互作用材料の層（図示せず）を有することができる。代替的には、ブランクはマイクロ波相互作用材料を含まないものとすることもできる。
【００１４】
図１Ａ及び図１Ｂに示されているように、容器３は、底壁１１と、直立した側壁１３と、側壁の頂部のフランジ１５とを有する。図１Ｃに示されているように、フランジ１５は、側壁１３の頂部から横方向外側に延びる上部１７と、この上部に折り曲げ可能につながっている下部１９とを有する。１つの実施形態において、上部１７は陥凹部２１を有し、下部１９は縁部２３を有する。縁部２３は、陥凹部２１の内部側に近接して位置決めされている。フランジ１５は、下部１９が上部１７に折り曲げ可能につながっているとともに上部の下に巻かれているため、「巻き形成されたフランジ」と呼ぶことができる。
【００１５】
１つの実施形態において、底壁１１及び側壁１３は、容器３の内部空間２５を形成する。食品（図示せず）は、内部空間２５内に配置することができ、底壁１１及び側壁１３と接触することができるか、又は、食品を側壁と接触することなく底壁によって支持することができる。
【００１６】
図２〜図９Ａは、ブランク５を容器３に形成する際の種々な位置における、成形工具７の概略図である。図示されている実施形態では、工具７は、上側（第１の）工具アセンブリ４１と、下側（第２の）工具アセンブリ４３とを備える。上側工具アセンブリ４１及び下側工具アセンブリ４３は、垂直方向Ｚにアセンブリの中心軸Ａ１に沿って別個に移動可能であり、ブランク５を容器３に形成する。図２に示されているように、上側工具アセンブリ４１及び下側工具アセンブリ４３は、垂直方向Ｚに開放位置まで移動し、アセンブリ間に間隙を形成する。それにより、水平方向Ｘに移動するブランク５は、形成工程の前に、上側工具アセンブリと下側工具アセンブリとの間に配置される。
【００１７】
１つの実施形態において、下側工具アセンブリ４３は、連接されたノーズ部５３と基部５５とを有する雄成形部５１を有する。下側工具アセンブリ４３は、絞りリング５７と、下側工具アセンブリの基部５５及びベース６３に隣接するカラー５９とを備える。絞りリング５７及びカラー５９は、雄成形部５１及び工具７の中心軸Ａ１の周りに概ね延在することができる。基部５５は、外面６５を有する。外面６５は、連接されたノーズ部５３の外面６７と協働して、容器３を形成する。カラー５９は、成形縁６８を有する。成形縁６８は、その頂面に隆起部６９を有するとともに、基部５５及びベース６３に対して摺動可能である。雄成形部５１及びカラー５９は、本開示から逸脱することなく、別様に形成、配置、位置決め及び／又は構成することができる。
【００１８】
図示されている実施形態では、上側工具アセンブリ４１は、支持部７０と、上側凹所７３を有するキャビティブロック７１とを備える。凹所７３は、下側工具アセンブリ４３の外面６５、６７に概ね対応する形状を有する外面を有することができる。上側工具アセンブリ４１は、キャビティブロック７１に隣接する第１のカラー７５と、第１のカラーに近接するとともに第１のカラーから径方向外側に離間している第２のカラー７７とを有する。第１のカラー７５及び第２のカラー７７は、キャビティブロック７１及び工具７の中心軸Ａ１の周りに概ね延在することができる。１つの実施形態において、カラー７７は支持部７０に取付けられる。上側工具アセンブリ４１は、第２のカラー７７に隣接する絞りリング７９を有し、そして、下側工具アセンブリ４３の絞りリング５７と概ね半径方向において位置合わせされる。図８Ａにおいて詳細に示されているように、第１のカラー７５は、曲面８１を有する成形縁８０を有し、第２のカラー７７は、斜面又は曲面８３を有する成形縁８２を有する。第１のカラー７５の成形縁８０は、第２のカラー７７の成形縁８２と概ね位置合わせされる。縁８０、８２及び面８１、８３は、本開示から逸脱することなく、別様に形成することができる。さらに、第１のカラー７５、第２のカラー７７及びキャビティブロック７１は、本開示から逸脱することなく、別様に形成、配置、位置決め及び／又は構成することができる。
【００１９】
１つの実施形態において、カラー５９、７５、７７は、協働してフランジ形成機能部８５として機能する。図２に示されているように、カラー５９はカラー７５、７７に対向して配置される。これらのカラーは、フランジ１５の第１の部分（例えば下部１９）を形成し、第１の部分をフランジの第２の部分（例えば上部１７）に対して、折り曲げ、フランジ１５の少なくとも一部分をカラー５９とカラー７５、７７との間で締め付けるように、配置可能である。フランジ形成機能部８５は、本開示から逸脱することなく、別様に形成、配置、位置決め及び／又は構成することができる。
【００２０】
容器３をブランク５から形成する方法を以下に記載する。本開示の容器３は、ブランクを成形工具７に供給し、そして、工具を作動させることにより、プレス加工及び形成してブランク５から形成される。図２は、上側工具アセンブリ４１及び下側工具アセンブリ４３の開放位置を示している。ここでは、平坦なブランク５が工具アセンブリ７内で中央に位置されている。ブランクは、基部５３の外面６７及び下側工具アセンブリ４１の絞りリング５７上に支持される。図３は、閉鎖位置に移動し始めている工具アセンブリ４１を示している。１つの実施形態において、下側工具アセンブリ４３はＺ方向に移動することができる。それにより、ブランク５の外側周縁部分は、下側工具アセンブリの絞りリング５７と、上側工具アセンブリ４１の絞りリング７９との間に保持される。１つの実施形態において、下側工具アセンブリ４３が上側工具アセンブリに向かって移動すると、絞りリング５７がブランク５の外側部分８７を絞りリング７９に対して押し付ける。それにより、外側部分８７は、それぞれの絞りリング５７、７９のクランプ面８８、８９の間に締め付けられる。図２及び図３に示されているように、クランプ面８８、８９は、工具７の内部から外部へと概ね上方に傾斜することができる。クランプ面８８、８９の傾斜は、キャビティブロック７１の底面９０の傾斜と概ね合わせられる。図３の位置では、下側工具アセンブリ４３の連接されたノーズ部５３は、ブランク５の中央部分８６に対して押し付けられ、容器３の底壁１１及び側壁１３を形成し始める。
【００２１】
図４に示されているように、連接されたノーズ部５３は、ブランク５の中央部を、キャビティ７１の上側凹所７３内へ上方に更に押し込む。１つの実施形態において、連接されたノーズ部５３、基部５５、及びカラー５９は、連接されたノーズ部が上側凹所７３内へ押し込まれる際、ともに移動することができる。それにより、基部の外面６５及びカラーの成形縁６８は、ベース６３の上面９３の上方に通常配置される。カラー５９の成形縁６８は、絞りリング５７の内面に隣接することができる。工具アセンブリの雄成形部５１がキャビティ７１内へ移動する際、絞りリング５７、７９はブランク５の外側周縁部分を保持しており、ブランクの中央部はキャビティ内へ移動する。
【００２２】
図５に示されているように、基部５５は更に押し上げられ、連接されたノーズ部５３に向かって進む。それにより、外面６５は、ブランク５に接触して、ブランクをキャビティブロックの上側凹所７３に対して更に押し付け、容器３の側壁１３を更に形成する。基部５５が押し上げられる際、絞りリング５７、７９はブランクの周縁部分を締結し続ける。図示されている実施形態では、カラー５９は基部５５とともに押し上げられる。
【００２３】
図６に示されているように、雄成形部５１の雄面６５、６７及びキャビティ７１の上側凹所７３の表面は、ブランクの内側部分８６（例えば、側壁１３及び底壁１１）と、完全な接触を維持する。それにより、側壁及び底壁が、雄成形部５１とキャビティブロック７１との間に締め付けられる。ベース６３は、第１の工具アセンブリ４１に向かって移動する。それにより、上面９３は絞りリング５７と接触し、ベース６３は絞りリング５７、７９を支持部７０に向かって押し付ける。絞りリング５７、７９は、カラー７５、７７及びキャビティブロック７１に対して上方に移動する。したがって、フランジ１５の外側周縁部分はキャビティ側に折り曲げられ、スカート部９１（例えば、フランジ１５の下部１９）をフランジ１５の縁部の周りに形成する。図６の位置では、スカート部９１は第１のカラー７５に隣接している。第１のカラー７５は第２のカラー７７に対して下方の位置にあり、スカート部９１の自由縁は第２のカラー７７の成形縁８２に隣接している。具体的には、カラー７５は、成形縁８０に隣接して位置決めされ、キャビティブロック７１の底面９０と概ね位置合わせされる。成形縁８０はカラー７７の成形縁８２から離間しており、スカート形成部９５が、離間した成形縁８０、８２及びカラー７５の外面によって画定される。したがって、カラー７５の成形縁８０はフランジ１５の内側部分（例えば、頂部１７）を押さえ付け、その間に、絞りリング５７、７９はフランジ１５の外側部分を内側部分に対して旋回させ、スカート部９１をスカート形成部９５内に位置決めする。スカート部９１は、本開示から逸脱することなく、代替的に形成することができる。
【００２４】
図７に示されているように、第１のカラー７５は、押し上げられ、フランジ１５との接触位置から離れるように移動する。それにより、第１のカラーの曲面８１は、第２のカラー７７の曲面８３と隣接するとともに、第２のカラー７７の曲面８３と概ね位置合わせされる。カラー７５の上方移動は、支持部７０のカラー停止部９７により制限することができる。したがって、カラー７５、７７の、組み合わさって隣接する面８１、８３は、フランジ形成機能部８５の曲面をなし、スカート部９１をトレイ３の縁部の下に巻き、巻き形成されたフランジ１５を形成する。スカート部９１を巻く工程を改善するように、第１のカラー７５及び第２のカラー７７は、分割された連結用縦溝部を有して作製することができる。
【００２５】
図８及び図８Ａに示されているように、下側工具アセンブリ４３のカラー５９は、ブランク５の周縁部分（例えば、フランジ１５の上部１７）に対して押し上げられる。したがって、カラー５９の隆起部６９は、容器３のフランジ１５の頂部１７における陥凹部２１（図１Ｃ）を形成するためにブランク５の周縁部分を押し付ける。
【００２６】
図示されている実施形態では、工具７の最終閉鎖ステップが、図９及び図９Ａに示されている。下側工具アセンブリ４３は、上側工具アセンブリ４１に向かって移動し、キャビティ７１を移動させて、そして支持部７０に到達させる。加えて、ベース６３は、絞りリング７９、５７をキャビティ７１に向かって、絞りリング７９が支持部７０に到達するまで移動させる。カラー７５、７７は図８に示されている位置に留まり、面８１、８３は、巻き形成されたフランジを形成する面を形成する。絞りリング５７、５９が押し上げられると、下側工具アセンブリ４３の絞りリング５７は、外側カラー７７における分割された対応パターン内に移動する。したがって、工具７はブランク５を、カラー７５、７７に対して上方に移動させ、工具７の完全な閉鎖がもたらされるまで、スカート部９１の自由縁を、外側カラー７７の曲面８３に対抗させ、次に内側カラー７５の曲面８１に対抗させる。スカート部９１の縁部が成形縁８０、８２に対抗している間、成形縁はスカート部９１をフランジ１５の上部１７に向かって折り曲げる。容器３のフランジ１５はこうして、スカート部９１がフランジの下部１９を形成した状態で形成される。下部１９は、フランジの上部１７の下に巻かれている。カラー５９の成形縁６８は、フランジ１５の上部１７及び下部１９をカラー７５、７７の成形縁８０、８２に対して締め付けている。
【００２７】
図示されている実施形態では、下側工具アセンブリ４３は、容器３を形成した後、上側工具アセンブリ４１から離れるように移動し、工具７を開放することができる。容器３は、離型される及び排出されるか、又は別様に取り外すことができる。そして、工具アセンブリ４１、４３は、別のブランク５を受け取るように、図２に示されている位置までリセットすることができる。
【００２８】
本開示の工具アセンブリ７は、１つの工具に、容器３の底壁１１及び側壁１３を形成する機能と、容器の巻き形成されたフランジ１５を形成する機能との双方を実行させるように構成されている。本開示のこの１ステップ形成方法は、容器３が単一の工具７によって完全に形成されることを可能にし、複数の工具アセンブリを用いる２ステップ形成方法の必要性を排除する。このように、容器形成機能を単一の工具アセンブリ７に統合することで、より低い工具コスト、無駄の低減、及びより高い製造効率がもたらされる。
【００２９】
上側工具アセンブリ４１及び下側工具アセンブリ４３は、通常、米国インディアナ州マリオン所在のPeerless Machine & Tool Corporation社によって製造されているタイプの機械（図示せず）、又は任意の他の好適な機械に取り付けることができる。この機械は、本開示の工具アセンブリ４１及び４３を十分に閉鎖及び開放する主要な圧縮力を提供することができる。工具アセンブリ４１、４３を機械により閉鎖及び開放することにより、３次元物品、又は容器３等の容器を形成することができる。他のタイプの機械の場合、工具アセンブリ４１、４３は、工具アセンブリが種々の代替的な方向において動作し、図示されている実施形態を形成することを可能にするように、軽微な修正又は変更を含むことができる。例えば、第１の工具アセンブリ４１は、本開示から逸脱することなく、第２の工具アセンブリ４３の下に位置決めすることができる。また、工具アセンブリ４１、４３は、本開示から逸脱することなく、図示されている縦軸Ａ１に対して或る角度で位置決めすることができる。本明細書において図示及び／又は記載されている、工具アセンブリ４１及び４３の動作位置及び／又は動作順序は、本開示の範囲を限定することを意図しないことは理解されたい。
【００３０】
本開示の前述の説明は、本開示の種々の実施形態を例示及び説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変更形態、組み合わせ、及び変形形態等をカバーする。加えて、本開示は、本発明の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、本開示の範囲から逸脱することなく、各実施形態の或る特定の機能部及び特徴を、選択的に入れ替えて、本開示の他の説明された実施形態及び説明されていない実施形態に適用することができる。
【図１Ａ】
0005905103.tif 000002
【図１Ｂ】
0005905103.tif 000003
【図１Ｃ】
0005905103.tif 000004
【図２】
0005905103.tif 000005
【図３】
0005905103.tif 000006
【図４】
0005905103.tif 000007
【図５】
0005905103.tif 000008
【図６】
0005905103.tif 000009
【図７】
0005905103.tif 000010
【図８】
0005905103.tif 000011
【図８Ａ】
0005905103.tif 000012
【図９】
0005905103.tif 000013
【図９Ａ】
0005905103.tif 000014